(57)【特許請求の範囲】
【請求項１】
ケーシング(１)と、
上記ケーシング(１)内に配置された加湿機構(４０)と、
上記ケーシング(１)内に配置され、上記加湿機構(４０)に空気を供給するファン(２０)と
を備え、
上記加湿機構(４０)は、旋回枠(１００)と、上記旋回枠(１００)に取り付けられた加湿部材(３００)と、上記旋回枠(１００)の回転に伴って汲み上げた水を上記加湿部材(３００)に注ぐバケット(２００)とを有し、
上記旋回枠(１００)の外周部に設けられた回転力伝達部と、上記バケット(２００)とが同一平面上に配置され、
上記加湿部材(３００)は、円盤部(３０１)と、上記円盤部(３０１)の外周側に設けられ、上記円盤部(３０１)よりも薄肉のフランジ部(３０２)とを有し、
上記バケット(２００)の注ぎ口(２０２)は、上記加湿部材(３００)の上記フランジ部(３０２)と上記円盤部(３０１)の段差部分に対向するように開口していることを特徴とする加湿装置。
【請求項２】
請求項１に記載の加湿装置において、
上記回転力伝達部と、上記加湿部材(３００)と、上記バケット(２００)とが同一平面上に配置されていることを特徴とする加湿装置。
【請求項３】
請求項１または２に記載の加湿装置において、
上記回転力伝達部はギヤ(１１０)であることを特徴とする加湿装置。
【請求項４】
請求項１から３までのいずれか１つに記載の加湿装置において、
上記旋回枠(１００)の上記回転力伝達部の径方向内側に上記バケット(２００)が配置され、
上記バケット(２００)の径方向内側に上記加湿部材(３００)が配置されていることを特徴とする加湿装置。
【請求項５】
請求項１から４までのいずれか１つに記載の加湿装置において、
上記旋回枠(１００)を回転支持する軸部(５００)を備え、
上記軸部(５００)は、上記ファン(２０)により供給される空気の流れの上流側の上記加湿部材(３００)からの突出部分よりも下流側の上記加湿部材(３００)からの突出部分の軸方向寸法が短いことを特徴とする加湿装置。
【発明の詳細な説明】
【技術分野】
【０００１】
この発明は、加湿装置に関する。
【背景技術】
【０００２】
従来、加湿装置としては、ケーシング内に配置された加湿機構と、ケーシング内に配置され、加湿機構に空気を供給するファンとを備えたものがある(例えば、特開２０１０−５４１２５号公報(特許文献１)参照)。上記加湿装置では、円板形状の旋回枠に取り付けられた加湿部材に、旋回枠の回転に伴って複数のバケットにより汲み上げた水を加湿部材に注ぐことにより加湿部材を湿らせ、ファンにより吸い込まれた外気を加湿部材を介して室内に吹き出すことにより加湿している。
【０００３】
ところが、上記加湿装置の加湿機構は、旋回枠に回転力を伝達する回転力伝達部と複数のバケットが軸方向に重なるように配置された構成であるため、加湿機構の軸方向寸法が厚くなり、装置本体の奥行きが厚くなるという問題がある。
【先行技術文献】
【特許文献】
【０００４】
【特許文献１】特開２０１０−５４１２５号公報
【発明の概要】
【発明が解決しようとする課題】
【０００５】
そこで、この発明の課題は、加湿機構の軸方向寸法を薄くして、装置本体の奥行きを薄くできる加湿装置を提供することにある。
【課題を解決するための手段】
【０００６】
【０００７】
上記課題を解決するため、この発明の加湿装置は、
ケーシングと、
上記ケーシング内に配置された加湿機構と、
上記ケーシング内に配置され、上記加湿機構に空気を供給するファンと
を備え、
上記加湿機構は、旋回枠と、上記旋回枠に取り付けられた加湿部材と、上記旋回枠の回転に伴って汲み上げた水を上記加湿部材に注ぐバケットとを有し、
上記旋回枠の外周部に設けられた回転力伝達部と、上記バケットとが同一平面上に配置され、
上記加湿部材は、円盤部と、上記円盤部の外周側に設けられ、上記円盤部よりも薄肉のフランジ部とを有し、
上記バケットの注ぎ口は、上記加湿部材の上記フランジ部と上記円盤部の段差部分に対向するように開口していることを特徴とする。
上記構成によれば、加湿機構において、旋回枠の外周部に設けられた回転力伝達部と、旋回枠の回転に伴って汲み上げた水を加湿部材に注ぐバケットとを同一平面上に配置することによって、加湿機構の軸方向寸法を薄くして、装置本体の奥行きを薄くできる。また、厚肉の円盤部と、その円盤部の外周側に設けられた薄肉のフランジ部とを有する加湿部材を用いて、その加湿部材のフランジ部と円盤部の段差部分に対向するように開口する注ぎ口をバケットに設けることによって、加湿機構の軸方向寸法を薄くしても、バケットから加湿部材への水を注ぐ注ぎ口の開口面積に対して、その注ぎ口に対向する加湿部材の水をしみ込ませる部分の表面積を広くすることができる。
【０００８】
また、一実施形態の加湿装置では、
上記回転力伝達部と、上記加湿部材と、上記バケットとが同一平面上に配置されている。
【０００９】
上記実施形態によれば、加湿機構において、旋回枠の外周部に設けられた回転力伝達部と、その旋回枠に取り付けられた加湿部材と、旋回枠の回転に伴って汲み上げた水を加湿部材に注ぐバケットとを同一平面上に配置することによって、加湿機構の軸方向寸法をより薄くできる。
【００１０】
また、一実施形態の加湿装置では、
上記回転力伝達部はギヤである。
【００１１】
上記実施形態によれば、回転力伝達部としてギヤを用いることによって、駆動モータからの駆動力を旋回枠に確実に伝えることができる。
【００１２】
また、一実施形態の加湿装置では、
上記旋回枠の上記ギヤの径方向内側に上記バケットが配置され、
上記バケットの径方向内側に上記加湿部材が配置されている。
【００１３】
上記実施形態によれば、旋回枠のギヤの径方向内側にバケットを配置すると共に、バケットの径方向内側に加湿部材を配置することによって、旋回枠のギヤと加湿部材とバケットとが最適な位置に配置されるので、加湿機構の軸方向寸法を確実に薄くできる。
【００１４】
また、一実施形態の加湿装置では、
上記旋回枠を回転支持する軸部を備え、
上記軸部は、上記ファンにより供給される空気の流れの上流側の加湿部材からの突出部分よりも下流側の加湿部材からの突出部分の軸方向寸法が短い。
【００１５】
上記実施形態によれば、旋回枠を回転支持する軸部において、ファンにより供給される空気の流れの上流側の加湿部材からの突出部分よりも下流側の加湿部材からの突出部分の軸方向寸法を短くすることによって、加湿部材の上流側にバケットから水を注ぐ構成とした場合は加湿機構の下流側に軸部を除いて軸方向に突出する部分を無くせるので、下流側で軸部を支持する支持部材の奥行きを短くでき、加湿機構の軸方向寸法をより薄くできる。
【００１６】
【００１７】
【発明の効果】
【００１８】
以上より明らかなように、この発明によれば、加湿機構の軸方向寸法を薄くして、装置本体の奥行きを薄くできる加湿装置を実現することができる。
【図面の簡単な説明】
【００１９】
【図１】図１はこの発明の実施の一形態の加湿装置の斜視図である。
【図２】図２は上記加湿装置の縦断面図である。
【図３】図３は上記加湿装置の加湿機構の分解斜視図である。
【図４Ａ】図４Ａは組み立て状態の上記加湿機構の斜視図である。
【図４Ｂ】図４Ｂは上記加湿機構の側面図である
【図４Ｃ】図４Ｃは上記加湿機構が取り付けられた水トレーを本体ケーシングに装着する手順を説明するための図である。
【図４Ｄ】図４Ｄは上記加湿装置を正面から見た断面模式図である。
【図５Ａ】図５Ａは図４ＢのVA−VA線から見た加湿機構の断面図である。
【図５Ｂ】図５Ｂは図５Ａに示す加湿機構の要部の拡大断面図である。
【図６】図６は上記加湿機構を上流側から見た正面図である。
【図７Ａ】図７Ａは図６のVIIA−VIIA線から見た加湿機構の断面図である。
【図７Ｂ】図７Ｂは図７Ａに示す加湿機構の点線で囲まれた要部の拡大図である。
【図８Ａ】図８Ａは図６のVIIIA−VIIIA線から見た加湿機構の断面図である。
【図８Ｂ】図８Ｂは図８Ａに示す加湿機構の点線で囲まれた要部の拡大図である。
【図９Ａ】図９Ａは上記加湿機構の旋回枠を上流側から見た正面図である。
【図９Ｂ】図９Ｂは上記旋回枠の側面図である。
【図９Ｃ】図９Ｃは上記加湿機構の旋回枠を下流側から見た後面図である。
【図１０】図１０(A)は上記加湿機構のバケットの後面図であり、図１０(B)は上記バケットを注ぎ口側から見た図であり、図１０(C)は上記バケットを汲み上げ口側から見た図である。
【図１１】図１１(A)は上記バケットの斜視図であり、図１１(B)は上記バケットの汲み上げ口側から注ぎ口を見た図である。
【図１２Ａ】図１２Ａは上記バケットの注ぎ口の形状を説明するための模式図である。
【図１２Ｂ】図１２Ｂは上記バケットの注ぎ口の他の形状を説明するための模式図である。
【図１３Ａ】図１３Ａは上記旋回枠の後面側にバケットを取り付けた状態を示す図である。
【図１３Ｂ】図１３Ｂは図１３Ａの要部の拡大斜視図である。
【図１４Ａ】図１４Ａは上記加湿機構の加湿部材の正面図である。
【図１４Ｂ】図１４Ｂは上記加湿機構の加湿部材の側面図である。
【図１５Ａ】図１５Ａは上記加湿機構の押さえ枠を上流側から見た正面図である。
【図１５Ｂ】図１５Ｂは上記加湿機構の押さえ枠の側面図である。
【図１５Ｃ】図１５Ｃは上記加湿機構の押さえ枠を下流側から見た後面図である。
【図１６】図１６は上記加湿機構の軸部の側面図である。
【発明を実施するための形態】
【００２０】
以下、この発明の加湿装置を図示の実施の形態により詳細に説明する。
【００２１】
図１はこの発明の実施の一形態の加湿装置の斜視図を示している。図１に示すように、この加湿装置は、ケーシング１を備え、このケーシング１は、ケーシング本体２と、このケーシング本体２に着脱可能に取り付けられた前面パネル３とからなる。上記ケーシング１の両側面には吸込口５,５(図１では１つのみを示す)を設け、ケーシング１の上面の後部に吹出口６を設けている。
【００２２】
図２は上記加湿装置の縦断面図を示している。図１に示す同一の構成部には同一参照番号を付している。
【００２３】
この加湿装置は、図２に示すように、ケーシング１内に前面側から順に、空気清浄フィルタユニット３０と、加湿機構４０と、ファンモータ２１で駆動されるファン２０とを配置している。なお、図２では、図示していないが、水タンク１０を加湿機構４０の側方に配置している(図４Ｃ参照)。また、図２において、７１は電源用プリント基板、７２は操作制御用プリント基板、７３は表示用プリント基板、７４は埃センサ、７５は予備用フィルタ、８０は制御部である。
【００２４】
上記空気清浄フィルタユニット３０とは、正面視で大略矩形である。また、上記空気清浄フィルタユニット３０の下側の部分と加湿機構４０とが前後方向に重なっている。さらに、上記空気清浄フィルタユニット３０および加湿機構４０は、ファン２０のベルマウス２３の少なくとも一部に重なるように配置し、つまり、ベルマウス２３の少なくとも一部を覆うように配置して、ファン２０からの騒音を低減するようにしている。
【００２５】
また、上記空気清浄フィルタユニット３０は、大きな埃やペットの毛等を捕集するためのプレフィルタ３１と、埃や塵等に帯電をさせるイオン化部３２と、帯電した埃や塵等を捕集する例えばプリーツフィルタからなる集塵フィルタ３３と、タバコの臭いやペットの臭い等の悪臭成分を捕集する脱臭フィルタ３４とを含む。上記プレフィルタ３１、イオン化部３２、集塵フィルタ３３および脱臭フィルタ３４は、ケーシング１の前面側から順に、略一直線状に配列している。なお、集塵フィルタ３３は、表面積の大きなプリーツフィルタであるため、通風抵抗を低減できる。
【００２６】
また、図２に示すように、空気清浄フィルタユニット３０の脱臭フィルタ３４および集塵フィルタ３３等は、ファン２０のベルマウス２３全体に重ねる一方、加湿機構４０は、ベルマウス２３の下側の部分に重ねるが、ベルマウス２３の上側の部分には重ねない。したがって、上記脱臭フィルタ３４の上側の部分からベルマウス２３の上側の部分に至る非加湿通路５１を流れる空気は、加湿機構４０を経由しないので、非加湿通路５１を流れる空気の通風抵抗を低減でき、特に、加湿運転を行わないで空気清浄運転のみを行う場合に、十分な風量(空気量)を確保できるようになっている。
【００２７】
一方、上記空気清浄フィルタユニット３０の脱臭フィルタ３４の下側の部分から加湿機構４０への加湿通路５２と、上記脱臭フィルタ３４の上側の部分からファン２０のベルマウス２３の上側の部分に至る非加湿通路５１とを、仕切り板５０で仕切っている。
【００２８】
この仕切り板５０により、加湿通路５２から非加湿通路５１への空気の流れを防止して、つまり、加湿通路５２から加湿機構４０をバイパスする空気の流れを防止して、加湿通路５２に流れる空気の殆どを加湿機構４０に流して、大きな加湿量を得ることができるようにしている。
【００２９】
また、上記仕切り板５０は、空気清浄フィルタユニット３０の脱臭フィルタ３４からファン２０の近傍まで延びている。あるいは、図示しないが、上記仕切り板５０は、脱臭フィルタ３４からベルマウス２３の近傍まで延びていてもよい。これにより、上記加湿機構４０を出た加湿空気と、非加湿通路５１を流れる非加湿空気との衝突による乱流を防止して、通風抵抗を低減し、また、騒音を低減するようにしている。
【００３０】
図３は上記加湿装置の加湿機構４０の分解斜視図を示している。
【００３１】
上記加湿機構４０は、図３に示すように、回転力伝達部の一例としてのギヤ１１０が外周部に設けられた円板形状の旋回枠１００と、旋回枠１００の下流側(図３の右側)かつ外周側に周方向等間隔に取り付けられた１２個のバケット２００と、円盤状の加湿部材３００と、円板形状の押さえ枠４００と、軸部５００とを備えている。加湿部材３００は、旋回枠１００と押さえ枠４００とで挟んで固定される。そして、旋回枠１００の中心に設けられた軸穴１００aと加湿部材３００の中心に設けられた軸穴３００aと押さえ枠４００の中心に設けられた軸穴４００aに軸部５００を軸方向に挿入して、軸部５００を旋回枠１００に固定する。
【００３２】
また、上記旋回枠１００の外周部のギヤ１１０にギヤドモータ７０(図２に示す)の出力軸に連結されたギヤを噛合して、旋回枠１００をギヤドモータ７０で駆動できるようにしている。
【００３３】
上記ギヤドモータ７０は、図２に示すように、加湿機構４０に、空気流の流通方向に重ならないように配置して、ギヤドモータ７０が、加湿機構４０を通る空気流の邪魔にならないようにしている。これにより、上記加湿機構４０を通過する空気量を増大して、加湿量を増大できるようになっている。
【００３４】
また、１２個のバケット２００は、旋回枠１００の回転に伴って下方の水トレー９０(図４Ｃに示す)で汲み上げた水を上方で加湿部材３００に注ぐようになっている。
【００３５】
このように、上記旋回枠１００と押さえ枠４００で加湿部材３００を挟んで固定している。
【００３６】
なお、この実施の形態では、１２個のバケット２００を旋回枠１００に取り付けたが、旋回枠または押さえ枠のいずれか一方に設けたものであればよく、また、バケットの数は、加湿量などに応じて適宜設定すればよく、少なくとも２個以上であればよい。
【００３７】
図４Ａは組み立て状態の加湿機構４０の斜視図を示し、図４Ｂは加湿機構４０の側面図を示している。図４Ａ,図４Ｂにおいて、図３に示す同一の構成部には同一参照番号を付している。
【００３８】
また、図４Ｃは加湿機構４０が取り付けられた水トレー９０を本体ケーシング２に装着する手順を説明するための図を示している。図４Ｃに示すように、加湿機構４０と水タンク１０が組み込まれた水トレー９０を、本体ケーシング２の右側の吸込口５近傍かつ後面側に設けられた水トレー用挿入口２aに側方から装着する。
【００３９】
また、図４Ｄは上記加湿装置を正面から見た断面模式図を示しており、図４Ｄにおいて、９６は仕切板である。
【００４０】
図４Ｄに示すように、水トレー９０には、仕切り壁９１を設けて、汲み上げ部９２と非汲み上げ部９３とに仕切っている。この仕切り壁９１の下部に通水孔としての横に長い長穴９５を設けている。旋回運動する加湿機構４０のバケット２００が汲み上げ部９２から水を汲み上げる。
【００４１】
上記非汲み上げ部９３には、フロートスイッチ９４を設けて、非汲み上げ部９３の水位が定常状態よりも一定値だけ低くなると、水タンク１０に水がないことを表す表示または警報を、図示しない表示部または警報部で行うようにしている。
【００４２】
〔加湿機構の詳細構成〕
図５Ａは図４ＢのVA−VA線から見た加湿機構４０の断面図を示している。
【００４３】
図５Ａに示すように、加湿機構４０は矢印Ｒ１の方向に回転する。旋回枠１００のギヤ１１０の径方向内側に、各バケット２００の汲み上げ口２０１の開口を旋回方向の前方に向けて各バケット２００を周方向に配置している。上記各バケット２００の径方向内側に加湿部材３００を配置している。
【００４４】
このように、上記加湿機構４０において、旋回枠１００のギヤ１１０と加湿部材３００と１２個のバケット２００とを同一平面上に配置している。
【００４５】
また、上記旋回枠１００のギヤ１１０の径方向内側にバケット２００を配置すると共に、バケット２００の径方向内側に加湿部材３００を配置している。これによって、旋回枠１００のギヤ１１０と加湿部材３００とバケット２００とが最適な位置に配置されるので、加湿機構４０の軸方向寸法を確実に薄くできる。
【００４６】
図５Ｂは図５Ａに示す加湿機構４０の要部の拡大図を示している。この図５Ｂにおいて、図５Ａに示す同一の構成部には、同一参照番号を付している。
【００４７】
図５Ｂに示すように、バケット２００に１２個のバケット２００の径方向内側に開口する注ぎ口２０２を設けている。また、図５Ｂにおいて、１０６aはバケット２００の汲み上げ口２０１近傍に径方向外側に延びる壁部である。
【００４８】
また、図６は加湿機構４０を上流側から見た正面図を示しており、この図６のVIIA−VIIA線から見た加湿機構４０の断面図を図７Ａに示している。図７Ａに示すように、旋回枠１００と押さえ枠４００で加湿部材３００を挟んだ構成をしている。
【００４９】
図７Ａに示す加湿機構４０の点線で囲まれた要部の拡大図を図７Ｂに示している。図７Ｂに示すように、旋回枠１００のリング状円板部１０１から延びるガイド部１０５の先端が、加湿部材３００の円盤部３０１の外周部分に当接している。
【００５０】
また、バケット２００の注ぎ口２０２の下流側の縁から径方向内側に延びるガイド部２０３の先端が、加湿部材３００のフランジ部３０２の外周部分の近傍に位置している。
【００５１】
上記バケット２００の注ぎ口２０２は、加湿部材３００のフランジ部３０２と円盤部３０１の段差部分に対向するように開口している。これによって、加湿機構４０の軸方向寸法を薄くしても、バケット２００から加湿部材３００への水を注ぐ注ぎ口２０２の開口面積に対して、その注ぎ口２０２に対向する加湿部材３００の水をしみ込ませる部分の表面積を広くすることができる。
【００５２】
また、旋回枠１００のギヤ１１０は、上流側から下流側に向かってかつ歯先から歯元に向かって傾斜する傾斜面１１０aと、歯溝の底の下流側に設けられた排水口１１０bとを有する。
【００５３】
この排水口１１０bは、加湿機構４０の径方向外側と加湿機構４０の内部とを連通する貫通穴である。
【００５４】
また、押さえ枠４００の軸方向かつ上流側に突出するように設けられたリブ４２０が、各バケット２００の裏面(空気の流れの下流側の面)に当接して、バケット２００の軸方向の位置を定めている。なお、このリブ４２０は突起の一例であって、バケット毎に押さえ枠に設けられた複数の突起であってもよい。
【００５５】
これにより、バケット２００は、加湿部材３００に関して、加湿部材３００を貫通する空気の流れの上流側(図７Ｂの左側)に偏って配置されている。
【００５６】
図８Ａは図６のVIIIA−VIIIA線から見た加湿機構４０の断面図を示している。図８Ａにおいて、図７Ｂに示す同一の構成部には同一参照番号を付している。
【００５７】
図８Ａに示す加湿機構４０の点線で囲まれた要部の拡大図を図８Ｂに示している。図８Ｂに示すように、旋回枠１００リング状円板部１０１に設けられた係合穴１０１cに、押さえ枠４００のリング状円板部４０１に設けられた係合爪４１０が係合している。
【００５８】
〔旋回枠単体〕
図９Ａは上記旋回枠１００を上流側から見た正面図を示しており、図９Ｂは旋回枠１００の側面図を示している。
【００５９】
図９Ａ,図９Ｂに示すように、旋回枠１００は、外周部にギヤ１１０が設けられたリング状円板部１０１と、リング状円板部１０１の中心部に配置されたボス部１０２と、このリング状円板部１０１とボス部１０２とを連結する放射状の６つのアーム部１０３,１０３,…とを有する。上記アーム部１０３,１０３,…同士をリング部１０４で連結して補強をしている。
【００６０】
上記リング状円板部１０１に周方向かつ等間隔に、略円形状の給水穴１０１aと長穴形状の給水穴１０１bとを交互に設けている。また、リング状円板部１０１の給水穴１０１a,１０１bの近傍かつ径方向内側に、径方向内側に向かって延びるガイド部１０５を夫々設けている。このガイド部１０５を周方向等間隔(３０ｄｅｇ毎)に配置している。そして、リング状円板部１０１のガイド部１０５間に円弧状のリブ１０６(図９Ｃに示す)を夫々設けている(係合穴１０１cの部分を除く)。
【００６１】
上記リング状円板部１０１とボス部１０２とアーム部１０３,１０３,…とリング部１０４を樹脂成形により一体に形成している。
【００６２】
また、リング状円板部１０１の給水穴１０１aの近傍かつ径方向内側に係合穴１０１cを夫々設けている。この係合穴１０１cは、旋回枠１００のリング状円板部１０１かつバケット２００の汲み上げ口２０１と反対側の奥部の近傍に設けられている。
【００６３】
図９Ｃは上記旋回枠１００を下流側から見た後面図を示している。図９Ｃにおいて、図９Ａ, 図９Ｂに示す同一の構成部には同一参照番号を付している。
【００６４】
図９Ａ,図９Ｃに示すように、旋回する加湿機構４０において、旋回枠１００のリング状円板部１０１の給水穴１０１a,１０１bは、鉛直方向下側にあるとき、すなわち、水トレー９０(図４Ｃに示す)内の水面よりも下側にあるとき、給水穴１０１a,１０１bを介して加湿機構４０内のバケット２００に水を導く。
【００６５】
この給水穴１０１a,１０１bは、バケット２００の汲み上げ口２０１の開口の径方向内縁よりも径方向外側に部分的に重なっている。
【００６６】
また、この給水穴１０１a,１０１bは、バケット２００の汲み上げ口２０１の開口の径方向外縁に重なっている。
【００６７】
また、この給水穴１０１a,１０１bは、バケット２００の汲み上げ口２０１の開口の近傍に配置されている。
【００６８】
〔バケット単体〕
図１０(A)はバケット２００の前面図であり、図１０(B)はバケット２００を注ぎ口２０２側から見た図であり、図１０(C)はバケット２００を汲み上げ口２０１側から見た図を示している。
【００６９】
図１０(A)に示すように、バケット２００の前面は、図９Ｃに示す旋回枠１００の後面側と対向する面であり、加湿機構４０の上流側である。バケット２００は、汲み上げ口２０１から後方に向かって奥が徐々に細くなった断面矩形の筒が湾曲した形状をしている。図１０(A)において、下側が旋回枠１００に取り付けたときの径方向内側、上側が旋回枠１００に取り付けたときの径方向外側となっている。このバケット２００の径方向外側が外周面２１０である。
【００７０】
図１０(A)〜(C)に示すように、バケット２００の汲み上げ口２０１近傍に径方向内側(図１０(A)の下側)に向かって開口する注ぎ口２０２を設けている。この注ぎ口２０２の下流側の縁から径方向内側に延びるガイド部２０３を設けている。また、バケット２００の旋回方向(図１０(A)の右から左への方向)の後方側かつ前面側に、径方向内側(図１０(A)の下側)に向かって延びるフランジ２０４を設けている。
【００７１】
また、図１０(A)に示すように、バケット２００の旋回方向の後方側の端に、径方向外側に向かって突出する突起２０５を設けている。
【００７２】
また、図１０(A),(C)に示すように、バケット２００の後面側かつ旋回方向の後方側の端に、突起２０６を設けている。
【００７３】
また、図１０(A)〜(C)に示すように、バケット２００の旋回方向(図１０(A)の右から左への方向)の前方側かつ後面側に、前方に向かって延びる係合部２０７を設けている。
【００７４】
上記汲み上げ口２０１と注ぎ口２０２とガイド部２０３とフランジ２０４と突起２０５と突起２０６と係合部２０７とを有するバケット２００を樹脂成形により形成している。
【００７５】
また、図１１(A)はバケット２００の斜視図であり、図１１(B)はバケット２００の汲み上げ口２０１側から注ぎ口２０２を見た図を示している。
【００７６】
図１２Ａはバケット２００の注ぎ口２０２の形状を説明するための模式図を示しており、径方向内側から注ぎ口２０２を見た図である。図１２Ａに示すように、注ぎ口２０２の後縁２２０は階段状をしている。
【００７７】
上記バケット２００の注ぎ口２０２の後縁２２０は、加湿部材３００を貫通する空気流の上流側(図１２の右側)の部分が、後縁２２０の上流側の部分よりも下流に位置する注ぎ口２０２の後縁２２０の下流側(図１２の左側)の部分よりも、早く水が排出されるように後退している。
【００７８】
また、図１２Ｂはバケット２００の注ぎ口２０２の他の形状を説明するための模式図を示しており、径方向内側から注ぎ口２０２を見た図である。図１２Ｂに示すように、注ぎ口２０２の後縁２３０はノコギリ刃状をしている。
【００７９】
このように、旋回運動するバケット２００の径方向内側に開口する注ぎ口２０２の後縁２２０,２３０が折れ曲がった線で定義されている。
【００８０】
図１３Ａは旋回枠１００の後面側に１２個のバケット２００を取り付けた状態を示している。
【００８１】
図１３Ａに示すように、旋回枠１００は矢印Ｒ２の方向に回転する。旋回枠１００のリング状円板部１０１に周方向に配置された各バケット２００のガイド部２０３の両側を、リング状円板部１０１のガイド部１０５の両側に連なるリブ１０６により挟んでいる。このようにして、各バケット２００のガイド部２０３が旋回枠１００の係止部(リブ１０６間)に係合している。
【００８２】
また、図１３Ｂは図１３Ａに示す要部の拡大斜視図を示している。図１３Ｂにおいて、図１３Ａに示す同一の構成部には同一参照番号を付している。
【００８３】
図１３Ｂに示すように、旋回枠１００のリング状円板部１０１に形成されたリブ１０６において、バケット２００の汲み上げ口２０１近傍に径方向外側に延びる壁部１０６aを立設している。この壁部１０６aの径方向外側の端が、図５Ｂに示すように、バケット２００の汲み上げ口２０１の径方向内側の内面２００aよりも径方向外側に位置する。
【００８４】
図１３Ｂに示すように、壁部１０６aは、リング状円板部１０１側に切り込みを有し、この壁部１０６aの切り込みにバケット２００の係合部２０７が係止されている。
【００８５】
また、旋回枠１００のリング状円板部１０１に形成されたリブ１０６において、バケット２００のフランジ２０４に対向する位置に径方向外側に延びる突起１０６bを立設している。また、リング状円板部１０１の突起１０６bに対向する位置に貫通穴１２０を設けている。バケット２００のフランジ２０４は、旋回枠１００の突起１０６bと貫通穴１２０との間の凹部に軸方向に係止される。
【００８６】
上記ギヤ１１０の内周面１１１にバケット２００の外周面２１０側が当接し、旋回枠１００にバケット２００の内周側を、壁の一例としてのリブ１０６により拘束している。
【００８７】
また、旋回枠１００のリング状円板部１０１の各ガイド部１０５は、リング状円板部１０１から延びる基部１０５aと、基部１０５aの両側かつ下流側(図１３Ｂの左側)に立設された側壁１０５b,１０５bとを有する。
【００８８】
〔加湿部材単体〕
図１４Ａは上記加湿部材３００の正面図を示しており、図１４Ｂは加湿部材３００の側面図を示している。
【００８９】
図１４Ａ,図１４Ｂに示すように、加湿部材３００は、円盤部３０１と、円盤部３０１の外周側に設けられ、円盤部３０１よりも薄肉のフランジ部３０２とを有する。この円盤部３０１の中央に貫通穴３００aを設けると共に、円盤部３０１のフランジ部３０２近傍かつ周方向等間隔に１２個の取付穴３０３を設けている。
【００９０】
この加湿部材３００は、例えば、不織布等からなり、いわゆる気化フィルタ等であって、空気を通過させ、この通過する空気に気化した水分で加湿する。
【００９１】
〔押さえ枠単体〕
図１５Ａは上記押さえ枠４００を上流側から見た正面図を示し、図１５Ｂは押さえ枠４００の側面図を示している。
【００９２】
図１５Ａ,図１５Ｂに示すように、押さえ枠４００は、リング状円板部４０１と、リング状円板部４０１の中心部に配置されたボス部４０２と、このリング状円板部４０１とボス部４０２とを連結する放射状の６つのアーム部４０３,４０３,…とを有する。また、リング状円板部４０１の径方向内側に水飛び防止用のネット４０４を設けている。この実施の形態では、ネット４０４の網目のピッチは０．５ｍｍであり、線径は５０デニールである。
【００９３】
また、リング状円板部４０１とボス部４０２とアーム部４０３,４０３,…を樹脂成形により一体に形成している。このとき、ネット４０４も一体に形成される。
【００９４】
また、押さえ枠４００のリング状円板部４０１に周方向等間隔に６つの係合爪４１０を設けると共に、押さえ枠４００の軸方向かつ上流側に突出する環状のリブ４２０を設けている。
【００９５】
上記加湿機構４０において、ネット４０４を加湿部材３００の下流側に配置している。
【００９６】
また、上記ネット４０４の最大穴径は、加湿部材３００の最大穴径よりも小さくしている。
【００９７】
また、リング状円板部４０１の内周側に上流側に向かって突出する１２個の突起４１１を周方向等間隔に立設している。この１２個の突起４１１は、加湿部材３００のフランジ部３０２近傍に設けられた１２個の取付穴３０３に挿入されることによって、押さえ枠４００に対して加湿部材３００の径方向の位置決めを行う。
【００９８】
なお、この実施の形態では、押さえ枠４００にネット４０４を一体に形成したが、これに限らず、押さえ枠とは別体のネットを加湿部材の下流側に配置してもよい。
【００９９】
図１５Ｃは加湿機構４０の押さえ枠４００を下流側から見た後面図を示しており、図１５Ａに示す同一の構成部には同一参照番号を付している。
【０１００】
〔軸部単体〕
図１６は加湿機構４０の軸部５００の側面図を示している。図１６に示すように、旋回枠１００と加湿部材３００(図３に示す)と押さえ枠４００を貫通する主部５０１と、主部５０１の上流側(図１６の左側)に設けられた第１の環状溝部５０２と、主部５０１の下流側(図１６の右側)に設けられた第２の環状溝部５０３とを有する。
【０１０１】
上記第１の環状溝部５０２の環状溝５０２aに、水トレー９０(図４Ｃに示す)から上方に立設された支持部材の一例としての第１の支持脚部６０１の軸受部(図示せず)が回転自在に嵌合する。また、上記第２の環状溝部５０３の環状溝５０３aを、水トレー９０から上方に立設された支持部材の一例としての第２の支持脚部６０２の軸受部(図示せず)が回転自在に嵌合する。
【０１０２】
上記構成の加湿装置によれば、図７Ａ,図８Ａに示すように、加湿機構４０において、旋回枠１００の外周部に設けられた回転力伝達部であるギヤ１１０と、旋回枠１００の回転に伴って汲み上げた水を加湿部材３００に注ぐバケット２００とを同一平面上に配置することによって、加湿機構４０の軸方向寸法を薄くして、装置本体の奥行きを薄くすることができる。
【０１０３】
なお、回転力伝達部はギヤ１１０に限らず、回転力を伝達するローラーなどの伝達機構を用いてもよい。
【０１０４】
また、加湿機構４０において、旋回枠１００の外周部に設けられたギヤ１１０と、その旋回枠１００に取り付けられた加湿部材３００と、旋回枠１００の回転に伴って汲み上げた水を加湿部材３００に注ぐバケット２００とを同一平面上に配置することによって、加湿機構４０の軸方向寸法をより薄くできる。
【０１０５】
また、回転力伝達部としてギヤ１１０を用いることによって、ギヤドモータ７０からの駆動力を旋回枠１００に確実に伝えることができる。
【０１０６】
また、上記旋回枠１００のギヤ１１０の径方向内側にバケット２００を配置すると共に、バケット２００の径方向内側に加湿部材３００を配置することによって、旋回枠１００のギヤ１１０と加湿部材３００とバケット２００とが最適な位置に配置されるので、加湿機構４０の軸方向寸法を確実に薄くできる。
【０１０７】
上記旋回枠１００を回転支持する軸部５００において、ファン２０により供給される空気の流れの上流側の加湿部材３００からの突出部分よりも下流側の加湿部材３００からの突出部分の軸方向寸法を短くしている。詳しくは、加湿部材３００よりも上流側に突出している部分の軸方向長さＬ１に対して、加湿部材３００よりも下流側に突出している部分の軸方向長さＬ２を短くしている。これによって、加湿部材３００の上流側にバケット２００から水を注ぐ構成とすることで、加湿機構４０の下流側に軸部を除いて軸方向に突出する部分を無くせるので、下流側で軸部５００を支持する支持脚部の奥行きを短くでき、加湿機構４０の軸方向寸法をより薄くできる。
【０１０８】
また、厚肉の円盤部３０１と、その円盤部３０１の外周側に設けられた薄肉のフランジ部３０２とを有する加湿部材３００を用いて、その加湿部材３００のフランジ部３０２と円盤部３０１の段差部分に対向するように注ぎ口２０２をバケット２００に設けることによって、加湿機構４０の軸方向寸法を薄くしても、バケット２００から加湿部材３００への水を注ぐ注ぎ口２０２の開口面積に対して、その注ぎ口２０２に対向する加湿部材３００の水をしみ込ませる部分の表面積を広くすることができる。
【０１０９】
また、上記加湿装置によれば、図７Ａ,図８Ａに示すように、旋回枠１００と押さえ枠４００でバケット２００が挟まれた加湿機構４０によって、加湿機構４０の軸方向寸法を薄くして、装置本体の厚みを抑えることができると共に、図９Ａ,図９Ｃに示すように、旋回枠１００に設けられた給水穴１０１a,１０１bによりバケット２００に水を導くことにより、バケット２００が旋回枠１００と押さえ枠４００で挟まれた構成であってもバケット２００に十分な水量を供給できる。したがって、加湿機構４０の軸方向寸法を薄くして、装置本体の厚みを抑えつつ、十分な加湿量を得ることができる。
【０１１０】
また、このような旋回枠１００に給水穴１０１a,１０１bを設けた構成の加湿機構４０において、旋回枠１００の外周部に設けられたギヤ１１０と加湿部材３００とバケット２００とを同一平面上に配置することによって、加湿機構４０の軸方向寸法をより薄くできる。
【０１１１】
また、上記バケット２００の汲み上げ口２０１の開口の径方向内縁よりも径方向外側に給水穴１０１a,１０１bが部分的に重なることによって、旋回運動中の旋回枠１００の下側に位置するバケット２００の汲み上げ口２０１の上縁よりも低い位置に少なくとも給水穴１０１a,１０１bの一部が位置するので、給水穴を必要以上に大きくすることがない。
【０１１２】
また、上記バケット２００の汲み上げ口２０１の開口の径方向外縁に給水穴１０１a,１０１bが重なることによって、旋回運動中の旋回枠１００の下側に位置するバケット２００の汲み上げ口２０１の下縁より高い位置に少なくとも給水穴１０１a,１０１bの一部が位置するので、バケット２００の汲み上げ口２０１に給水穴１０１a,１０１bを介して確実に水を導くことができる。
【０１１３】
また、上記バケット２００の汲み上げ口２０１の開口の近傍に給水穴１０１a,１０１bを配置することにより、給水穴１０１a,１０１bを介してバケット２００の汲み上げ口２０１に水を最短距離で導くことができる。
【０１１４】
また、上記旋回枠１００の上流側の前面に給水穴１０１a,１０１bを設けることによって、給水穴１０１a,１０１bを介して水が下流側に飛ぶのを防止できる。
【０１１５】
なお、押さえ枠を上流側に配置して旋回枠を下流側に配置した場合は、押さえ枠の上流側の前面に給水穴を設けることにより下流側への水飛びを防止できる。
【０１１６】
また、上記加湿装置によれば、図１２Ａ,図１２Ｂに示すように、バケット２００の旋回運動の径方向内側に開口する注ぎ口２０２の後縁２２０,２３０は、折れ曲がった線で定義されているから、バケット２００が旋回運動をしながら旋回運動の上端近傍で、バケット２００の傾きで、注ぎ口２０２から水が径方向内側に排出されるときに、折れ曲がった線で定義される後縁２２０,２３０の最も後の部分(例えば２２０a)から最初に少量の水が排出され、次に、その後の部分よりも前の部分(例えば２２０b)から水が排出されて、水が徐々に排出されて、一気に大量の水が排出されることがない。したがって、加湿部材３００が乾いていても、水が加湿部材３００の中に染み込んでいくことができる。このように、注ぎ口２０２から水が徐々に排出されるから、注ぎ口２０２の全体に表面張力で水の膜ができて、この水の膜が破れて、一気に大量の水が塊となって、注ぎ口２０２から排出されるということがないから、加湿部材３００から水滴が下流側に飛ばされることがない。これにより、水飛びを防止できる。
【０１１７】
また、上記バケット２００の注ぎ口２０２の後縁２２０,２３０は、加湿部材３００を通過する空気流に関して、注ぎ口２０２の後縁２２０,２３０の上流側の部分が、注ぎ口２０２の後縁の下流側の部分よりも、早く水が排出されるように、後退しているから、空気流に関して、加湿部材３００の上流側の部分に下流側の部分よりも、早く、水を掛けて、上流側の部分を先に湿らせて、その後、上流側の部分から湿りが伝えられた下流側の部分に水を掛けることになる。したがって、加湿部材３００が乾いているような環境でも、加湿部材３００の下流側の部分を上流側から湿らせた後、湿った下流側の部分に水を掛けることになるので、下流側の部分においても、加湿部材３００の中に水がスムーズに染み込み、水滴が加湿部材３００の下流側に飛ぶ水飛びを効果的に防止することができる。
【０１１８】
また、図１２Ａに示すように、バケット２００の注ぎ口２０２の後縁２２０が、階段状に折れ曲がっているから、簡単な構造で、加湿部材３００に水を徐々に掛けて、水飛びを防止することができる。
【０１１９】
また、図１２Ｂに示すように、バケット２００の注ぎ口２０２の後縁２３０が、ノコギリ刃状に折れ曲がっているから、簡単な構造で、加湿部材３００に水を徐々に掛けて、水飛びを防止することができる。
【０１２０】
また、上記加湿装置によれば、旋回枠１００が回転することにより、バケット２００が旋回運動して加湿部材３００の頂上付近に位置すると、バケット２００内の水が注ぎ口２０２から流れ出て加湿部材３００にかかる。このとき、図５Ｂ,図１３Ｂに示すように、バケット２００の旋回方向前方に開口する汲み上げ口２０１近傍の旋回枠１００には壁部１０６aが設けられ、この壁部１０６aの径方向外側の端が、汲み上げ口２０１の径方向内側の内面よりも径方向外側に位置するので、注ぎ口２０２から流れ出るべき水が汲み上げ口２０１から漏れ出るのを防ぐことができる。したがって、上記注ぎ口２０２から流れ出るべき水が減らないようにして、加湿部材３００に目標量の給水を行うことができる。
【０１２１】
また、図１３Ｂに示すように、旋回枠１００の係止部を兼ねる壁部１０６aにバケット２００の係合部２０７を係止することにより、汲み上げ口２０１から壁部１０６aが遠く離れてしまうのを防ぐことができる。すなわち、上記汲み上げ口２０１の径方向内側の内面近傍に壁部１０６aを確実に位置させることができる。
【０１２２】
また、図５Ｂに示すように、バケット２００が旋回運動して加湿部材３００の頂上付近に位置したとき、汲み上げ口２０１に対してバケット２００の旋回方向後方に注ぎ口２０２を設けているので、バケット２００内の水が汲み上げ口２０１に到達しにくくなる。したがって、上記注ぎ口２０２から流れ出るべき水が汲み上げ口２０１から漏れ出るのを防ぐ効果を高めることができる。
【０１２３】
また、上記バケット２００が旋回運動して加湿部材３００の頂上付近に位置したとき、注ぎ口２０２は径方向内側に開口しているので、バケット２００内の水が注ぎ口２０２から流れ出易くなる。したがって、上記バケット２００内に水が残りにくくなる。
【０１２４】
なお、上記実施の形態では、加湿機構４０は、押さえ枠４００を有していたが、押さえ枠を有しないようにしてもよい。
【０１２５】
また、上記旋回枠１００の壁部１０６aは、バケット２００を係止する係止部を兼ねていたが、バケットを係止する係止部を兼ねなくてもよい。
【０１２６】
また、上記注ぎ口２０２は、径方向内側に開口していたが、例えば、ファンによって生じた空気流に関して上流側に開口するようにしてもよい。
【０１２７】
また、上記加湿装置によれば、ファン２０によって生じた空気流に加湿を行うため、水供給部(バケット２００)が加湿部材３００に水を供給する。このとき、上記加湿部材３００の空気流に関して下流側にネット４０４(図１５Ａ,図１５Ｃ)が配置されているので、加湿部材３００にかけられた水が飛ばされて、その加湿部材３００よりも下流側の他の部材にかかるのを防ぐことができる。
【０１２８】
また、図３に示すように、加湿部材３００の下流側にネット４０４を配置しているので、加湿部材３００を通過する風量が低下するのを防ぐことができる。
【０１２９】
また、上記加湿部材３００の下流側にネット４０４を配置しているので、加湿部材３００において加湿に寄与する面積が減らないようにして加湿量が低下するのも防ぐことができる。
【０１３０】
これに対して、上記加湿部材の下流側に例えば壁を設けた場合は、加湿部材にかけられた水が加湿部材の下流側に飛ばされるのを防ぐことができるが、加湿部材を通過する風量が低下したり、加湿部材において加湿に寄与する面積が減って加湿量が低下したりしてしまう。
【０１３１】
また、上記ネット４０４の最大穴は加湿部材３００の最大穴よりも小さいので、加湿部材３００にかけられた水が加湿部材３００の下流側に飛ばされるのを確実に防ぐことができる。
【０１３２】
また、図１５Ａ〜図１５Ｃに示すように、ネット４０４は押さえ枠４００に一体成形されているので、部品点数および組立工数を減らして、製造コストを低減できる。
【０１３３】
なお、上記実施の形態では、加湿機構４０は、押さえ枠４００を有していたが、押さえ枠を有しないようにしてもよい。
【０１３４】
また、上記実施の形態では、ネット４０４の最大穴は加湿部材３００の最大穴よりも小さくしていたが、加湿部材の最大穴と同じ大きさにしてもよい。
【０１３５】
また、上記実施形態では、ネット４０４と押さえ枠４００を一体成形していたが、ネットと押さえ枠を別体に成形してもよい。このようにする場合、押さえ枠と別体に成形したネットを、加湿部材の下流側の例えばベルマウスに取り付けてもよい。
【０１３６】
また、上記加湿装置によれば、図７Ｂに示すように、加湿機構４０の旋回枠１００の外周部に設けられたギヤ１１０の歯溝の底の下流側に排水口１１０bを設けることによって、ギヤ１１０の歯溝に付着した水は、ギヤ１１０の歯先が鉛直方向の上方にほぼ向いているときにファン２０から供給される空気流れの上流側から下流側に流れた後、歯溝の底の下流側に設けた排水口１１０bから加湿機構４０の内側に落下する。したがって、旋回枠１００の外周部に設けられたギヤ１１０に付着した水を効率よく排水して、水飛びを効果的に防止できる。
【０１３７】
また、図７Ｂに示すように、旋回枠１００のギヤ１１０に、上流側から下流側に向かってかつ歯先から歯元に向かって傾斜する傾斜面１１０aを設けたことによって、ギヤ１１０の歯溝に付着した水は、ファン２０から供給される空気流れの上流側から下流側に傾斜面１１０aに沿って排水口１１０bに案内されるので、ギヤ１１０に付着した水を効率よく排水できる。
【０１３８】
また、図７Ｂに示すように、旋回枠１００のギヤ１１０の歯溝の底の下流側の一部に排水口１１０bを設けることによって、ギヤ１１０の歯溝の底の全部に排水口を設けるよりもギヤ１１０の強度を高めることができる。
【０１３９】
なお、上記実施の形態では、旋回枠１００のギヤ１１０の歯溝の底の下流側の一部に排水口１１０bを設けたが、ギヤの強度に問題なければ、ギヤの歯溝の底の全部に排水口を設けてもよい。
【０１４０】
また、上記加湿装置によれば、図７Ａ,図７Ｂ,図８Ａ,図８Ｂに示すように、旋回枠１００の外周部のギヤ１１０とバケット２００と加湿部材３００とが同一平面上に配置されているから、この加湿機構４０、ひいては、加湿装置の軸方向の寸法を薄くすることができると共に、バケット２００を、旋回枠１００と押さえ枠４００とで挟んで固定しているから、旋回枠１００とは別体のバケット２００を旋回枠１００に簡単確実に固定することができる。
【０１４１】
また、上記バケット２００の旋回運動の径方向内側に開口する注ぎ口２０２が旋回枠１００に設けられた係止部(旋回枠１００のリブ１０６間)と旋回運動の周方向に係合しているから、バケット２００を周方向に、簡単、確実に位置決めすることができる。また、上記注ぎ口２０２が旋回枠１００設けられた係止部と旋回運動の周方向に係合するから、注ぎ口２０２を位置決部材として兼用できる。
【０１４２】
なお、バケット２００の注ぎ口２０２を旋回運動の周方向に係合する係止部を押さえ枠４００に設けてもよい。
【０１４３】
また、図８Ｂに示すように、バケット２００の奥部が汲み上げ口２０１よりもバケット２００の旋回運動の径方向に狭まる形状で、奥部の近傍の旋回枠１００の係合穴１０１cに、押さえ枠４００に設けられた係合爪４１０が係合しているから、バケット２００の奥部が狭まることにより生じたスペースを有効に利用して、旋回枠１００の係合穴１０１cと押さえ枠４００に設けられた係合爪４１０とを係合して、旋回枠１００と押さえ枠４００と簡単に固定することができる。
【０１４４】
また、図１０(A)〜(C)に示すように、バケット２００の汲み上げ口２０１よりもバケット２００の旋回運動の径方向に狭まる奥部に、フランジ２０４が設けられ、このフランジ２０４が旋回枠１００に設けられた凹部(図１３Ｂに示す旋回枠１００の突起１０６bと貫通穴１２０との間)に軸方向に係止されているから、バケット２００の旋回枠１００への装着時に、フランジ２０４を凹部に軸方向に係止して、バケット２００を簡単に位置決めでき、かつ、仮留めできる。
【０１４５】
また、図７Ｂ,図８Ｂに示すように、旋回枠１００に軸方向に突出するように設けた突起の一例としてのリブ４２０が、バケット２００に軸方向から当接して、バケット２００の軸方向の位置を定めているから、バケット２００の軸方向の位置を確実に定めることができ、かつ、確実に固定できる。
【０１４６】
また、この突起の長さを適宜設定することによって、バケット２００の軸方向の位置を任意に定めることができ、自由度が増す。
【０１４７】
また、上記突起であるリブ４２０が、バケット２００の空気流に関して下流側の面に当接して、バケット２００は、加湿部材３００に関して、その加湿部材３００を通過する空気流の上流側に偏って配置されているから、バケット２００から加湿部材３００の上流側に水を掛けて、加湿部材３００から空気流の下流側への水飛びを防止することができる。
【０１４８】
なお、上記実施の形態では、旋回枠１００に突起としてのリブ４２０を設けたが、押さえ枠を上流側に配置し、旋回枠を下流側に配置した場合、押さえ枠に軸方向に突出するように設けた突起をバケットに軸方向から当接して、バケットの軸方向の位置を定めてもよい。
【０１４９】
また、上記加湿装置によれば、図７Ｂ,図８Ｂに示すように、旋回枠１００の外周部のギヤ１１０とバケット２００と加湿部材３００とが同一平面上に配置されているから、この加湿機構４０、ひいては、加湿装置の軸方向の寸法を薄くすることができると共に、図１３Ｂに示すように、ギヤ１１０の内周面にバケット２００の外周部が当接していて、バケット２００を旋回枠１００に可能な範囲で最大限、外径側に配置しているので、バケット２００の寸法を大きくでき、また、バケットの数を増やして、汲み上げ量を増大することができる。
【０１５０】
また、図１３Ｂに示すように、ギヤ１１０の内周面１１１にバケット２００の外周部(外周面２１０側)が当接し、かつ、旋回枠１００に設けた壁(リブ１０６)で、バケット２００の内周部が拘束されているので、ギヤ１１０の弾性により、バケット２００を径方向の内側へ壁に向けて弾性的に押圧して、バケット２００を容易かつ確実に固定することができる。
【０１５１】
また、図７Ｂに示すように、ギヤ１１０の歯底の一部が貫通穴(排水口１１０b)になっているから、ギヤ１１０の柔軟性がさらに向上し、弾性がさらに向上して、より確実に、バケット２００を固定することができる。
【０１５２】
なお、上記実施の形態では、旋回枠１００に突起としてのリブ４２０を設けたが、押さえ枠を上流側に配置し、旋回枠を下流側に配置した場合、押さえ枠に軸方向に突出するように設けた突起をバケットに軸方向から当接して、バケットの軸方向の位置を定めてもよい。
【０１５３】
上記実施の形態では、空気清浄フィルタユニット３０と加湿機構４０とを備えた加湿装置について説明したが、空気清浄フィルタユニットを備えていない加湿装置にこの発明を適用してもよい。
【０１５４】
この発明の具体的な実施の形態について説明したが、この発明は上記実施の形態に限定されるものではなく、この発明の範囲内で種々変更して実施することができる。
【符号の説明】
【０１５５】
１  ケーシング
２  ケーシング本体
３  前面パネル
５  吸込口
６  吹出口
１０  水タンク
２１  ファンモータ
２０  ファン
２３  ベルマウス
３０  空気清浄フィルタユニット
４０  加湿機構
７０  ギヤドモータ
７１  電源用プリント基板
７２  操作制御用プリント基板
７３  表示用プリント基板
７４  埃センサ
７５  予備用フィルタ
８０  制御部
９０  水トレー
１００  旋回枠
１００a  軸穴
１０１  リング状円板部
１０１a,１０１b  給水穴
１０１c  係合穴
１０２  ボス部
１０３,１０３,…  アーム部
１０４  リング部
１０５  ガイド部
１０６  リブ
１０６a  壁部
１０６b  突起
１２０  貫通穴
１３０  係止穴
１１０  ギヤ
１１１  内周面
２００  バケット
２０１  汲み上げ口
２０２  注ぎ口
２０３  ガイド部
２０４  フランジ
２０５  突起
２０６  突起
２０７  係合部
２１０  外周面
２２０,２３０  後縁
３００  加湿部材
３００a  軸穴
３０１  円盤部
３０２  フランジ部
３０３  取付穴
４００  押さえ枠
４００a  軸穴
４０１  リング状円板部
４０２  ボス部
４０３,４０３,…  アーム部
４０４  ネット
４１０  係合爪
４２０  リブ
５００  軸部
５０１  主部
５０２  第１の環状溝部
５０２a  環状溝
５０３  第２の環状溝部
５０３a  環状溝
６０１  第１の支持脚部
６０２  第２の支持脚部
【図１】
0005561322.tif 000002
【図２】
0005561322.tif 000003
【図３】
0005561322.tif 000004
【図４Ａ】
0005561322.tif 000005
【図４Ｂ】
0005561322.tif 000006
【図４Ｃ】
0005561322.tif 000007
【図４Ｄ】
0005561322.tif 000008
【図５Ａ】
0005561322.tif 000009
【図５Ｂ】
0005561322.tif 000010
【図６】
0005561322.tif 000011
【図７Ａ】
0005561322.tif 000012
【図７Ｂ】
0005561322.tif 000013
【図８Ａ】
0005561322.tif 000014
【図８Ｂ】
0005561322.tif 000015
【図９Ａ】
0005561322.tif 000016
【図９Ｂ】
0005561322.tif 000017
【図９Ｃ】
0005561322.tif 000018
【図１０】
0005561322.tif 000019
【図１１】
0005561322.tif 000020
【図１２Ａ】
0005561322.tif 000021
【図１２Ｂ】
0005561322.tif 000022
【図１３Ａ】
0005561322.tif 000023
【図１３Ｂ】
0005561322.tif 000024
【図１４Ａ】
0005561322.tif 000025
【図１４Ｂ】
0005561322.tif 000026
【図１５Ａ】
0005561322.tif 000027
【図１５Ｂ】
0005561322.tif 000028
【図１５Ｃ】
0005561322.tif 000029
【図１６】
0005561322.tif 000030